(57)【特許請求の範囲】
【請求項１】
上部が開口する容器本体と、当該容器本体の開口部を開閉自在に覆う蓋体とからなる撒き餌容器に於て、
上記容器本体の開口部の周縁部に、柄杓を保持する切欠き部を設けると共に、当該切欠き部に、内方に向けて突出する柄杓の脱落防止片を設けたことを特徴とする撒き餌容器。
【請求項２】
容器本体は開口部に沿ってフレームを有し、当該フレームは、切欠き部に沿って屈曲していることを特徴とする請求項１に記載の撒き餌容器。
【発明の詳細な説明】
【０００１】
【発明の属する技術分野】
本発明は、魚釣り用の撒き餌を収納する撒き餌容器に関する。
【０００２】
【従来の技術】
従来、エビなど生き餌や集魚剤等の撒き餌を収納する撒き餌容器（以下、「容器」という）は、可撓性，防水性を有する合成樹脂シートで成形された上方が開口する箱状の容器本体と、当該容器本体の開口部をファスナ（開閉具）を介して開閉可能に覆う蓋体と、容器を運搬するためのハンドルやベルトを有するものが広く知られている。
【０００３】
そして、この種の容器の使用は、蓋体を開いて容器本体内で撒き餌を作り、容器を足元に置いて必要に応じ柄杓（撒き餌杓）で撒き餌を掬って海に投入している。
【０００４】
ところで、撒き餌の投入は釣りをし乍ら行うため、直ぐに柄杓の柄を握って撒き餌を投入できるようにしておくことが好ましく、通常、実釣時に柄杓は容器本体の内壁に立て掛けられている。
しかし、このような状態に柄杓を置くと、風で柄杓が移動してしまったり容器内に倒れて使い勝手が悪いのが実情であった。
【０００５】
そこで、斯かる実情に鑑み、実用新案登録第３０８０１６４号公報には、図１４に示すように容器本体１の側壁３の外側や内側に上方が開口するポケット５を設けて、当該ポケット５で柄杓７を保持するようにした容器９が提案されている。
而して、この容器９によれば、柄杓７が常に一定の位置に安定して保持されるため、柄杓７の使い勝手が向上することとなった。
【０００６】
また、特開平１０−２４８４６３号公報には、図１５乃至図１７に示すように容器本体１１と、その上部の開口部を開閉可能に覆う蓋体１３との間に、容器本体１１の一側に固定される固定蓋１５と、当該固定蓋１５に屈折部１７を介して容器本体１１に対し自由に開閉する可動蓋１９とからなる補助蓋２１を介装して、可動蓋１９の横幅の略中央部に柄杓２３を嵌挿可能とする切欠き部２５を設けると共に、可動蓋１９を剛性蓋体で成形して、柄杓２３の持ち上げ操作で屈折部１７を支点に可動蓋１９を開動可能とした容器２７が開示されている。
【０００７】
而して、この容器２７によれば、雨水や海水の飛沫及び日光の侵入を補助蓋２１によって防止することができると共に、可動蓋１９の開動を柄杓２３で迅速に行うことができる利点を有する。
【０００８】
【発明が解決しようとする課題】
しかし乍ら、図１４に示す容器９にあっては、容器本体１の外側に突出したポケット５が邪魔になったり、ポケット５内に撒き餌が溜まってしまう等の不具合が指摘されている。
【０００９】
また、図１５の容器２７は、可動蓋１９の開動を柄杓２３で迅速に行うことができる反面、可動蓋１９を開いた状態での柄杓２３の保持手段がないため、可動蓋１９を開け、容器２７を足元に置いて必要に応じ柄杓２３で撒き餌を掬って投入する際に、従来と同様、柄杓２３を容器本体１１の内壁に立て掛けておかなければならず、また、柄杓２３を切欠き部２５で保持させるには、逐一可動蓋１９を閉じなければならない欠点があった。
【００１０】
本発明は斯かる実情に鑑み案出されたもので、上述の如き不具合を解決し、実釣時に必要に応じ柄杓で撒き餌を掬って投入する際に、柄杓を常に一定の位置に保持して、撒き餌タイミングを逃すことなく魚釣りを良好に行うことができる容器を提供することを目的とする。
【００１１】
【課題を解決するための手段】
斯かる目的を達成するため、請求項１に係る発明は、上部が開口する容器本体と、当該容器本体の開口部を開閉自在に覆う蓋体とからなる容器に於て、上記容器本体の開口部の周縁部に、柄杓を保持する切欠き部を設けると共に、当該切欠き部に、内方に向けて突出する柄杓の脱落防止片を設けたことを特徴とする。
【００１２】
斯かる構成によれば、実釣時に容器を足元に置いて柄杓で撒き餌を掬って投入する際に、柄杓を切欠き部に挿入しておけば、脱落防止片が弾性変形し乍ら柄杓を保持してその脱落防止を図り、柄杓が常に一定の位置に保持されることとなる。
そして、請求項２に係る発明は、請求項１に記載の容器に於て、容器本体は開口部に沿ってフレームを有し、当該フレームは、切欠き部に沿って屈曲していることを特徴とする。
【００１４】
斯かる構成によれば、フレームによって容器本体の自立性，強度アップと開口部の形状保持が図られると共に、切欠き部を囲むように屈曲したフレームによって切欠き部の強度とその形状保持が図られることとなる。
【００１５】
【発明の実施の形態】
以下、本発明の実施形態を図面に基づき説明する。
【００１６】
図１乃至図７は請求項１及び請求項２に係る容器の第一実施形態を示し、図１に於て、３１はエチレン酢酸ビニル，塩化ビニル等の合成樹脂からなる柔軟性を有するシートの端部を溶着や接着等で接合して成形した防水性を有する容器本体で、図２に示すように容器本体３１は方形状に成形されて上部が開口し、開口部３３の一側に、容器本体３１と同一材料で成形された蓋体３５がヒンジ部材３７を介して連結されている。
【００１７】
そして、一対の運搬用のハンドル３９が容器本体３１の前側面４１と後側面４３の外側に取り付けられているが、図３に示すように容器本体３１の側面の上部、即ち、前，後側面４１，４３と左右側面４５，４７を構成する合成樹脂シートの上部は、金属や合成樹脂で成形された平面視矩形状のフレーム４９で外側に折り返されて開口部３３の開口周縁部を形成しており、夫々の折返し片５１は、各側面４１，４３，４５，４７の外側にウエルダ加工によって図３及び図５に示す領域Ａの如く溶着で接合されている。そして、各折返し片５１の端部と、蓋体３５の周縁部との間にファスナ５３が縫着されており、当該ファスナ５３の操作で開口部３３が蓋体３５によって開閉されると共に、上記フレーム４９によって容器本体３１の自立性，強度アップと開口部３３の形状保持が図られている。
【００１８】
尚、図３中、５５，５７は、折返し片５１と蓋体３５に縫着されたファスナ５３の帯であり、ファスナ５３の操作部（図示せず）をヒンジ部材３７側へ移動させるとファスナ５３が開く。
また、図１に示すように既述したヒンジ部材３７は右側面４７の折返し片５１と蓋体３５との間に取り付けられており、斯かる構造によって、ハンドル３９が邪魔にならずに蓋体３５を開くことができるようになっている。
【００１９】
而して、本実施形態に係る容器５９は、上述の如き構成に加え、図２に示すように開口部３３の左側面４５側の周縁部中央に、柄杓６１を保持する切欠き部６３を設けたことを特徴とし、切欠き部６３は開口部３３のヒンジ部材３７と対向する位置に設け、蓋体３５を僅かに開いただけで外部に露出するようになっている。
【００２０】
図４乃至図６は切欠き部６３の詳細を示し、図５に示すように切欠き部６３は側面（左側面４５）に形成され、開口部３３側が開口して入口側より奥部側が幅広に成形された略Ｃ字状をなし、既述したフレーム４９は切欠き部６３を避けるようにこれに沿って下方へ略Ｕ字状に屈曲している。
そして、既述したように左側面４５を構成する合成樹脂シートの上部は、図４の如くフレーム４９で外側に折り返されて、折返し片５１が左側面４５の外側にウエルダ加工で接合されているが、この切欠き部６３では、図４乃至図６に示す領域Ｂで折返し片５１が左側面４５にウエルダ加工されることで、両者が接合されて一体化部が形成されている。そして、この領域Ｂに於て、切欠き部６３に沿って厚肉部６５が縁取りされると共に、後述する脱落防止片６９が弾性変形し易くなるように当該厚肉部６５に沿ってその外側に薄肉部６７が設けられており、この厚肉部６５と薄肉部６７が、切欠き部６３の内方に向けて突出する柄杓６１の脱落防止片６９として機能し、図７の如く切欠き部６３に柄杓６１の柄７１を挿入する際に、この脱落防止片６９が弾性変形して、切欠き部６３に挿入した柄杓６１を保持し、脱落防止を図るようになっている。
【００２１】
而して、上記切欠き部６９を成形するには、先ず、切欠き部６３成形前のその部分と領域Ｂをウエルダ加工して折返し片５１と左側面４５を接合し乍ら、既述した厚肉部６５と薄肉部６７を成形する。
この後、厚肉部６５に沿ってその内側をカットすることで上記切欠き部６３が成形されることとなる。
【００２２】
このとき、切欠き部６３周辺に沿って上述したウエルダ加工による一体化部（図４に示す領域Ｂ）が形成された状態で残され、当該部位が、切欠き部６３から折返し片５１と左側面４５の間に水や撒き餌が浸入するのを防止すると共に、切欠き部６３の強度とその形状を保持することとなる。そして、本実施形態では、斯かる部位がそのまま脱落防止片６９としても機能するようになっている。
【００２３】
本実施形態はこのように構成されており、使用に当たっては、従来と同様、釣場に容器５９を持参し、図２の如く蓋体３５を開いて容器本体３１内で撒き餌を作り、実釣時に容器５９を足元に置き必要に応じ柄杓６１で撒き餌を掬って海に投入するが、このとき、図７に示すように脱落防止片６９を弾性変形させ乍ら、柄杓６１の柄７１を切欠き部６３に挿入すれば、脱落防止片６９が柄杓６１の脱落防止を図って、図２の如く切欠き部６３が柄杓６１を常に一定の位置に保持する。
【００２４】
また、グリップ７３を握って柄杓６１を引き上げれば、脱落防止片６９が弾性変形して柄杓６１が瞬時に切欠き部６３から取り出せるが、この一連の動作時に、フレーム４９が更に容器本体３１の自立性，強度アップと開口部３３の形状保持を図り、切欠き部６３に沿って屈曲した当該フレーム４９が、切欠き部６３の強度とその形状保持を図ることとなる。
【００２５】
そして、切欠き部６３はファスナ５３の容器本体３１への止着位置より開口部３３側に設けられているので、使用後に蓋体３５を戻してファスナ５３を閉操作すれば、図１の如く切欠き部６３を覆って蓋体３５が容器本体３１を完全に閉鎖する。
このように本実施形態によれば、実釣時に容器５９を足元に置いて柄杓６１で撒き餌を掬って投入する際に、フレーム４９によって容器本体３１の自立性，強度アップと開口部３３の形状保持が図られると共に、切欠き部６３を囲むように屈曲したフレーム４９によって当該切欠き部６３の強度とその形状保持が図られることもあって、切欠き部６３を介して柄杓６１を常に一定の位置に保持することが可能となり、撒き餌タイミングを逃すことなく魚釣りを良好に行うことができることとなった。
【００２６】
而も、本実施形態によれば、脱落防止片６９によって柄杓６１の脱落防止が図れるため、切欠き部６３に柄杓６１を挿入した状態で容器５９を移動しても、柄杓６１が切欠き部６３から安易に外れて容器本体３１内に倒れてしまうことがないし、また、図１４及び図１５の従来例の如き欠点もない等の利点を有する。
尚、上記実施形態は、開口部３３の左側面４５側の周縁部中央に一つの切欠き部６３を設けたが、切欠き部を設ける位置や個数は上記実施形態に限定されるものではなく、開口部３３の周縁部の他の位置に切欠き部を設けてもよいし、切欠き部を複数個設けてもよい。
【００２７】
また、脱落防止片６９は切欠き部６３に沿って連続して設けたが、脱落防止片を部分的に設けてもよく、例えば切欠き部の入口部のみに脱落防止片を切欠き部内方に向けて突設すれば、切欠き部内で柄杓がガタついても入口部の脱落防止片に係止されて飛び出してしまうことがない。
而して、これらの実施形態によっても、上記実施形態と同様、所期の目的を達成することが可能である。
【００２８】
図８は請求項１及び請求項２の第二実施形態に係る容器の要部拡大側面図を示し、以下、本実施形態を図面に基づき説明するが、図１の実施形態と同一のものには同一符号を付してそれらの説明は省略する。
【００２９】
図８に於て、７５は内方に薄肉な４つの脱落防止片７７，７９，８１，８３が突設された切欠き部で、当該切欠き部７５は図２の切欠き部６３と同じ位置に設けられている。
図８及び図９に示すように脱落防止片７７，７９，８１，８３は、切欠き部７５の中心に設けた中心孔８５を中心に上下左右方向に切り欠いた通路８７，８９，９１，９３によって区画形成されており、中心孔８５から上方に成形された切欠き８７は切欠き部７５の入口部９５に開口している。そして、中心孔８５は柄杓６１の柄７１よりも小径とされている。
【００３０】
また、図８に示すようにフレーム４９は、図１の実施形態と同様、切欠き部７５を避けるようにこれに沿って下方へ略Ｕ字状に屈曲している。
而して、上記切欠き部７５を成形するには、折返し片５１を左側面４５の外側にウエルダ加工する際に、成形前の中心孔８５と通路８７，８９，９１，９３，入口部９５の部分と図８の領域Ｃ全体をウエルダ加工して接合し、当該部位全体を薄肉に成形する。
【００３１】
この後、入口部９５と中心孔８５，切欠き８７，８９，９１，９３をカットすることで、各脱落防止片７７，７９，８１，８３が成形される。そして、各脱落防止片７７，７９，８１，８３の周辺に沿って一体化部（図９で示す領域Ｃ）が形成されている。
本実施形態に係る容器５９-1はこのように構成されており、使用に当たっては、釣場に容器５９-1を持参し、そして、蓋体３５を開いて容器本体３１内で撒き餌を作り、実釣時に容器５９-1を足元に置き必要に応じ柄杓６１で撒き餌を掬って海に投入することとなるが、このとき、入口部９５から柄７１で脱落防止片７７，８３を弾性変形させ乍ら、柄７１を切欠き部７５の中心孔８５に挿入すれば、各脱落防止片７７，７９，８１，８３が弾性変形し乍ら柄７１を挟持して柄杓６１を常に一定の位置に保持し、その脱落防止を図ることとなる。
【００３２】
また、グリップ７３を握って柄杓６１を引き上げれば、脱落防止片７７，８３が弾性変形して柄杓６１が瞬時に切欠き部７５から取り出せることとなる。そして、この一連の動作時に、フレーム４９が容器本体３１の自立性，強度アップと開口部３３の形状保持を図り、また、既述したようにウエルダ加工によって一体化された部位（図９で示す領域Ｃ）とこれに沿って屈曲した当該フレーム４９が、切欠き部７５の強度とその形状保持を図ることとなる。
【００３３】
、そして、使用後にファスナ５３を閉操作すれば、切欠き部７５を覆って蓋体３５が容器本体３１を完全に閉鎖することとなる。
従って、本実施形態に於ても、実釣時に容器５９-1を足元に置いて柄杓６１で撒き餌を掬って投入する際に、フレーム４９によって容器本体３１の自立性，強度アップと開口部３３の形状保持が図られると共に、切欠き部７５を囲むように屈曲したフレーム４９によって当該切欠き部７５の強度とその形状保持が図られることもあって、切欠き部７５を介して柄杓６１を常に一定の位置に保持することが可能となり、撒き餌タイミングを逃すことなく魚釣りを良好に行うことができることとなった。
【００３４】
而も、本実施形態にあっても、脱落防止片７７，７９，８１，８３によって柄杓６１の脱落防止が図れるため、切欠き部７５に柄杓６１を挿入した状態で容器５９-1を移動しても、柄杓６１が切欠き部７５から安易に外れて容器本体３１内に倒れてしまうことがないし、図１４及び図１５の従来例の如き欠点もない等の利点を有する。
【００３５】
図１０及び図１１は請求項１及び請求項２の第三実施形態に係る容器の要部拡大図を示し、以下、本実施形態を図面に基づき説明するが、本実施形態に於ても、図１の実施形態と同一のものには同一符号を付してそれらの説明は省略する。
図１０に於て、９７は図２の切欠き部６３と同じ位置に設けられた切欠き部で、図示するように本実施形態に於ける切欠き部９７は、入口部９９から奥部側に向かって順次幅狭な略Ｖ字状に成形されており、その周縁部に内方に向かって薄肉な脱落防止片１０１が設けられている。
【００３６】
そして、図１０に示すようにフレーム４９は、切欠き部９７を避けるように下方へ略Ｕ字状に屈曲している。
而して、上記切欠き部９７を成形するには、図１１の如く折返し片５１を左側面４５の外側にウエルダ加工する際に、図１０に示すように脱落防止片１０１を含む領域Ｄ全体をウエルダ加工して接合し、当該領域Ｄ全体を薄肉に成形する。
【００３７】
この後、既述した脱落防止片１０１を成形するように領域ＤをＶ字状にカットすることで、脱落防止片１０１を有する切欠き部９７が成形される。
従って、切欠き部９７の周辺に残った領域Ｄが一体化部で、これが同時に脱落防止片１０１となる。
本実施形態に係る容器５９-2はこのように構成されているから、使用に当たっては、蓋体３５を開いて容器本体３１内で撒き餌を作り、実釣時に容器５９-2を足元に置き必要に応じ柄杓６１で撒き餌を掬って海に投入することとなるが、このとき、入口部９９から柄７１を切欠き部９７の奥部側に挿入すれば、脱落防止片１０１が弾性変形し乍ら柄杓６１を挟持して柄杓６１を常に一定の位置に保持し、その脱落防止を図ることとなる。
【００３８】
そして、グリップ７３を握って柄杓６１を引き上げれば、柄杓６１が瞬時に切欠き部９７から取り出せることとなる。そして、この一連の動作時に、フレーム４９が容器本体３１の自立性，強度アップと開口部３３の形状保持を図り、切欠き部７５の部分で下方に略Ｕ字状に屈曲した当該フレーム４９が、当該切欠き部７５の強度とその形状保持を図ることとなる。
【００３９】
そして、使用後にファスナ５３を閉操作すれば、切欠き部９７を覆って蓋体３５が容器本体３１を完全に閉鎖することとなる。
従って、本実施形態によっても、必要に応じ柄杓６１で撒き餌を掬って投入する際に、フレーム４９によって容器本体３１の自立性，強度アップと開口部３３の形状保持が図られると共に、切欠き部９７を囲むように屈曲したフレーム４９によって当該切欠き部９７の強度とその形状保持が図られることもあって、切欠き部９７を介して柄杓６１を常に一定の位置に保持することが可能となり、撒き餌タイミングを逃すことなく魚釣りを良好に行うことができることとなった。
【００４０】
而も、本実施形態にあっても、脱落防止片１０１によって柄杓６１の脱落防止が図れるため、切欠き部９７に柄杓６１を挿入した状態で容器５９-2を移動しても、柄杓６１が切欠き部９７から安易に外れて容器本体３１内に倒れてしまうことがないし、図１４及び図１５の従来例の如き欠点もない等の利点を有する。
図１２は請求項１及び請求項２の第四実施形態に係る容器の要部拡大分解側面図を示し、図８の実施形態では容器本体３１に脱落防止片７７，７９，８１，８３を一体成形したが、本実施形態は、図１２に示すように中心孔８５，切欠き８７，８９，９１，９３，入口部９５によって脱落防止片７７，７９，８１，８３が区画形成された切欠き部７５-1を有する略Ｃ字状の薄肉な切欠き部材１０３を容器本体３１と別体に成形すると共に、上記切欠き部７５と同一位置に略Ｃ字状の止着孔１０５を設けて、図１３の如く当該止着孔１０５の周縁部と切欠き部材１０３の外周をウエルダ加工で接合したものである。
而して、切欠き部７５と同様、切欠き部７５-1は入口部９５が上方に開口し、そして、切欠き部７５-1の周辺に沿ってウエルダ加工で接合した一体化部（図１３に示す領域Ｅ）が形成され、この一体化部で、止着孔１０５または切欠き部材１０３の周辺に沿って容器本体３１の左側面４５と折返し片５１，切欠き部材１０３が接合されている。
【００４１】
また、フレーム４９は、止着孔１０５を避けるようにこれに沿って下方へ略Ｕ字状に屈曲している。
そして、その他の構成は図１の実施形態と同様であるので、同一のものには同一符号を付してそれらの説明は省略する。
本実施形態に係る容器５９-3はこのように構成されており、本実施形態によっても、上述した各実施形態と同様、所期の目的を達成することが可能で、切欠き部７５-1を介して柄杓６１を常に一定の位置に保持することができ、撒き餌タイミングを逃すことなく魚釣りを良好に行うことができる利点を有する。
【００４２】
【発明の効果】
以上述べたように、請求項１に係る発明によれば、実釣時に容器を足元に置いて柄杓で撒き餌を掬って投入する際に、切欠き部を介して柄杓を常に一定の位置に保持することが可能となるため、撒き餌タイミングを逃すことなく魚釣りを良好に行うことができることとなった。
【００４３】
また、脱落防止片によって柄杓の脱落防止が図れるため、切欠き部に柄杓を挿入した状態で容器を移動しても、柄杓が切欠き部から安易に外れて容器本体内に倒れてしまうことがない。
更にまた、請求項２に係る発明によれば、フレームによって容器本体の自立性，強度アップと開口部の形状保持が図られると共に、切欠き部を囲むように屈曲したフレームによって当該切欠き部の強度とその形状保持が図られるため、切欠き部を介して柄杓を保持することがより確実となる利点を有する。
【図面の簡単な説明】
【図１】  請求項１及び請求項２の第一実施形態に係る容器の全体斜視図である。
【図２】蓋体を開いた図１の容器の全体斜視図である。
【図３】図５のIII−III線断面図である。
【図４】図５のIV−IV線断面図である。
【図５】図１に示す容器の要部拡大側面図である。
【図６】図５のVI−VI線断面図である。
【図７】柄杓の挿入時の脱落防止片の変形状態を示す要部平面図である。
【図８】  請求項１及び請求項２の第二実施形態に係る容器の要部拡大側面図である。
【図９】図８のIX−IX線断面図である。
【図１０】  請求項１及び請求項２の第三実施形態に係る容器の要部拡大側面図である。
【図１１】図１０のXI−XI線断面図である。
【図１２】  請求項１及び請求項２の第四実施形態に係る容器の要部拡大分解側面図である。
【図１３】  請求項１及び請求項２の第四実施形態に係る容器の要部拡大側面図である。
【図１４】蓋体を開いた従来の容器の全体斜視図である。
【図１５】従来の他の容器の全体斜視図である。
【図１６】可動蓋を開いた従来の容器の全体斜視図である。
【図１７】図１６の容器の断面図である。
【符号の説明】
３１  容器本体
３３  開口部
３５  蓋体
４９  フレーム
５３  ファスナ
５９，５９-1，５９-2，５９-3  容器
６１  柄杓
６３，７５，７５-1，９７  切欠き部
６５  厚肉部
６７  薄肉部
６９，７７，７９，８１，８３，１０１  脱落防止片
８５  中心孔
１０３  切欠き部材
１０５  止着孔
【図１】
0003740422.tif 000002
【図２】
0003740422.tif 000003
【図３】
0003740422.tif 000004
【図４】
0003740422.tif 000005
【図５】
0003740422.tif 000006
【図６】
0003740422.tif 000007
【図７】
0003740422.tif 000008
【図８】
0003740422.tif 000009
【図９】
0003740422.tif 000010
【図１０】
0003740422.tif 000011
【図１１】
0003740422.tif 000012
【図１２】
0003740422.tif 000013
【図１３】
0003740422.tif 000014
【図１４】
0003740422.tif 000015
【図１５】
0003740422.tif 000016
【図１６】
0003740422.tif 000017
【図１７】
0003740422.tif 000018